(57)【要約】【解決手段】  キャビネット３は、前面開口部ＦＯおよび天面開口部ＵＯの形成された箱状の本体部１１と、上記天面開口部ＵＯの後方に設けられた天板３１と、該天板３１の前方端に揺動可能に連結されて上記天面開口部ＵＯを開閉する天面開閉部材３２と、該天面開閉部材３２の前方端に揺動可能に連結されて上記前面開口部ＦＯを開閉する前面開閉部材３３とを備えている。  上記天面開口部ＵＯおよび前面開口部ＦＯを開口させる際には、上記天面開閉部材３２は時計方向に回転して上記天板３１の上面に重合され、上記前面開閉部材３３は反時計方向に回転して天板３１の上面に重合された上記天面開閉部材３２の上面に重合されるようになっている。【効果】  プロジェクターを移動させることなく内部に収納可能で、かつ前面開閉部材の上面を物品を載置可能な作業台として利用することができる。【選択図】  図２
2010217331.tif 000002
【特許請求の範囲】
【請求項１】
スクリーンなどに画像を投影するプロジェクターを収納するプロジェクター用キャビネットであって、
上記プロジェクター用キャビネットは、箱状の本体部と、該本体部内に設けられてプロジェクターを載置させる棚板と、上記本体部におけるプロジェクターの投影方向前方に形成された前面開口部と、上記本体部の天面の前方側に形成された天面開口部と、上記本体部における天面開口部の後方に設けられた天板と、該天板の前方端に揺動可能に連結されて上記天面開口部を開閉する天面開閉部材と、該天面開閉部材の前方端に揺動可能に連結されて上記前面開口部を開閉する前面開閉部材とを備え、
上記天面開閉部材および前面開閉部材は、上記天面開口部と前面開口部とを閉鎖した閉鎖状態と、これらを開口させた開口状態となり、
上記天面開口部および前面開口部を上記開口状態とした際には、上記天面開閉部材は一方向に回転されて上記天板の上面に重合されるとともに、上記前面開閉部材は逆方向に回転されて天板の上面に重合された上記天面開閉部材の上面に重合され、
この状態において、前面開閉部材の上面は物品を載置可能な作業台を構成することを特徴とするプロジェクター用キャビネット。
【請求項２】
上記天面開閉部材および前面開閉部材を上記開口状態とした際には、
上記前面開閉部材の前端部が上記天板および天面開閉部材の前端部と一致することを特徴とする請求項１に記載のプロジェクター用キャビネット。
【請求項３】
上記天面開閉部材を天板よりも前後方向に長くし、
上記天面開閉部材および前面開閉部材を上記開口状態とした際には、
天面開閉部材および前面開閉部材の後端部が天板の後端部より後方に突出することを特徴とする請求項１または請求項２のいずれかに記載のプロジェクター用キャビネット。
【請求項４】
上記前面開閉部材は本体部の前面開口部の上方を閉鎖するとともに、上記前面開口部の下方を下部扉によって開閉可能とし、さらに上記前面開閉部材と下部扉とを連結するロック機構を設けたことを特徴とする請求項１ないし請求項３のいずれかに記載のプロジェクター用キャビネット。
【請求項５】
上記棚板に角度変更手段を設け、
該角度変更手段によって棚板の角度を変更し、上記プロジェクターによる光の投射角度を変更可能としたことを特徴とする請求項１ないし請求項４のいずれかに記載のプロジェクター用キャビネット。
【発明の詳細な説明】
【技術分野】
【０００１】
本発明はプロジェクター用キャビネットに関し、詳しくはスクリーンなどに画像を投影するプロジェクターを収納するプロジェクター用キャビネットに関する。
【背景技術】
【０００２】
従来、スクリーンなどに画像を投影するプロジェクターを収納するため、下記特許文献１〜４に示すようなプロジェクター用キャビネットが知られている。
このうち、特許文献１、２におけるプロジェクター用キャビネットは、プロジェクターが外部に露出しており、未使用時には埃の付着や盗難の恐れがあった。
これに対し、特許文献３におけるプロジェクター用キャビネットは、プロジェクターの未使用時には該プロジェクターをキャビネットの内部に収納可能として、埃の付着や盗難を防止することが可能となっている。
【先行技術文献】
【特許文献】
【０００３】
【特許文献１】特開平９−１１６８４１号公報
【特許文献２】特開２０００−２８７７６４号公報
【特許文献３】特開２００８−１２１７５２号公報
【発明の概要】
【発明が解決しようとする課題】
【０００４】
しかしながら上記特許文献３のキャビネットは、プロジェクターの使用時には該プロジェクターをキャビネット内部の棚板から天板に移動させなければならず、操作が煩雑であるという問題があった。
このような問題に鑑み、本発明はプロジェクターを内部に収容することができ、かつ使用時にはプロジェクターを移動させる必要のないプロジェクター用キャビネットを提供するものである。
【課題を解決するための手段】
【０００５】
すなわち、本発明にかかるプロジェクター用キャビネットは、箱状の本体部と、該本体部内に設けられてプロジェクターを載置させる棚板と、上記本体部におけるプロジェクターの投影方向前方に形成された前面開口部と、上記本体部の天面の前方側に形成された天面開口部と、上記本体部における天面開口部の後方に設けられた天板と、該天板の前方端に揺動可能に連結されて上記天面開口部を開閉する天面開閉部材と、該天面開閉部材の前方端に揺動可能に連結されて上記前面開口部を開閉する前面開閉部材とを備え、
上記天面開閉部材および前面開閉部材は、上記天面開口部と前面開口部とを閉鎖した閉鎖状態と、これらを開口させた開口状態となり、
上記天面開口部および前面開口部を上記開口状態とした際には、上記天面開閉部材は一方向に回転されて上記天板の上面に重合されるとともに、上記前面開閉部材は逆方向に回転されて天板の上面に重合された上記天面開閉部材の上面に重合され、
この状態において、前面開閉部材の上面は物品を載置可能な作業台を構成することを特徴としている。
【発明の効果】
【０００６】
上記発明によれば、上記天面開閉部材および前面開閉部材を閉鎖状態とすることで、キャビネットに収納されたプロジェクターへの埃の付着や盗難を防止することができる。
また、上記天面開閉部材および前面開閉部材を開口状態として本体部の前面開口部を開口させることで、プロジェクターをキャビネットから取り出さなくとも、プロジェクターから投影される光が遮られないため、プロジェクターをそのまま使用することができる。
そして、上記前面開閉部材を作業台としてノートパソコンや資料等の物品を載置することができ、しかもこの作業台としての前面開閉部材はキャビネットの後方に位置することから、使用者はプロジェクターの光を遮ることなくキャビネットの後方からノートパソコンおよびプロジェクターを扱うことができる。
【図面の簡単な説明】
【０００７】
【図１】本実施例にかかるキャビネットの断面図を示し、開閉手段が閉鎖状態となっている図。
【図２】上記キャビネットの断面図を示し、開閉手段が開口状態となっている図。
【図３】上記図１に示すキャビネットを前方から見た図。
【発明を実施するための形態】
【０００８】
以下図示実施例について説明すると、図１、図２はスクリーン等に画像を投影する想像線で示すプロジェクター１と、想像線で示すＤＶＤプレーヤー２と、これらプロジェクター１およびＤＶＤプレーヤー２を収納するキャビネット３とを示している。
なお、以下の説明において図１、図２の図示左方を上記プロジェクター１が画像を投影する投影方向前方とし、図示右方を後方として説明する。また図３は図１に示すプロジェクター１を上記前方より見た図を示している。
また、図１はプロジェクター１をキャビネット３の内部に収納した閉鎖状態を示し、図２はプロジェクター１を露出させて該プロジェクター１を使用可能とした開口状態を示している。
上記プロジェクター１およびＤＶＤプレーヤー２には従来公知のものを使用することができ、それぞれキャビネット３の内部に収納可能な大きさを有している。そしてプロジェクター１の前面には画像を投影するためのレンズが設けられ、上部にはプロジェクター１を操作するためのスイッチ等が設けられている。
またプロジェクター１およびＤＶＤプレーヤー２の背面にはそれぞれ図示しない電源コードや信号コードが接続され、プロジェクター１はＤＶＤプレーヤー２の再生する画像や、後述するノートパソコンＰＣの画像を投影することが可能となっている。
【０００９】
上記キャビネット３は、概ねスチール製の薄板を加工したもので構成されており、その他木製部品等を使用することも可能であるが、軽量化の観点から上記スチール製の薄板を加工したものを使用するのが好ましい。
キャビネット３は、箱状の本体部１１と、該本体部１１内に設けられてプロジェクター１を載置させる棚板１２と、本体部１１内に設けられてＤＶＤプレーヤー２を載置させる自由棚１３と、上記本体部１１に形成された開口部を開閉する開閉手段１４とから構成されている。
上記本体部１１は、両側の側面に設けられた側板１５と、下面に設けられた底板１６と、背面に設けられた背板１７とから構成され、これにより本体部１１の天面には天面開口部ＵＯが開口し、プロジェクター１の投影方向前方には前面開口部ＦＯが開口するようになっている。
上記天面開口部ＵＯからは棚板１２に載置されたプロジェクター１の操作を行うことができ、上記前面開口部ＦＯからはプロジェクター１の光が遮られることなくスクリーン等に投影することが可能となっている。
【００１０】
上記側板１５と底板１６とは溶接によって固定されており、上記背板１７は上記側板１５の後方にボルト等によって着脱可能に設けられている。上記背板１７は上記プロジェクター１とＤＶＤプレーヤー２とを配線する際に取り外すことができ、通常の使用時には固定されて、キャビネット３の背部からプロジェクター１やＤＶＤプレーヤー２を取り出せないようになっている。
上記側板１５の上部には、上記プロジェクター１からの排熱を排出するためのスリット１５ａが形成されており、また略中央には使用者がキャビネット３の移動時に指をかけることが可能なグリップ１５ｂが設けられている（図２では省略）。
底板１６の底面には４隅にキャスター１９が設けられており、該キャスター１９によってキャビネット３をプロジェクター１ごと移動させることが可能となっている。また前方に位置するキャスター１９にはブレーキ１９ａが設けられており、プロジェクター１の使用時にはブレーキ１９ａによってキャビネット３の移動を阻止するようになっている。
そして、上記本体部１１の内部には、上記側板１５におけるスリット１５ａの上部に複数のコンセントを供えた電源タップ１８が図示しない磁石により着脱可能に設けられている（図２では省略）。
この電源タップ１８にはプロジェクター１やＤＶＤプレーヤー２の電源コードを接続することができ、該電源タップ１８の電源コード１８ａは上記背板１７に穿設された貫通穴を介して外部のコンセントに接続可能となっており、また未使用時には背板１７に設けたフック１７ａに巻きつけ可能となっている。
【００１１】
上記棚板１２は本体部１１の内部の所定高さに設けられており、該棚板１２の後端部と背板１７との間には配線のために若干の隙間が形成されている。
また、棚板１２の後端部は本体部１１の側面に対して揺動可能に軸支されるとともに、上記側板１５に固定された支持部材２０によって下方から支持されている。
さらに、棚板１２の前端部両側には角度変更手段を構成する操作レバー２１が設けられており、該操作レバー２１を操作することで棚板１２の側方に図示しないピンが出没し、上記側板１５に上下方向に複数設けられた係合穴１５ｃのいずれかと係合するようになっている。
このような構成により、使用者が上記操作レバー２１を操作して上記ピンを退没させるとともに、棚板１２を傾けた状態で操作レバー２１を再び操作することで、上記ピンが所要の係合穴１５ｃに係合され、棚板１２を所要の角度に傾斜した状態に保持することが可能となっている。
上記自由棚１３は、本体部１１の側板１５の内面に設けられた高さ調整手段２２によって自由にその高さを調整することが可能となっている。
【００１２】
上記開閉手段１４は、上記本体部１１の天面に設けられた天板３１と、該天板３１の前方端に揺動可能に連結された天面開閉部材３２と、該天面開閉部材３２の前方端に揺動可能に連結された前面開閉部材３３と、本体部１１の下方に揺動可能に連結された下部扉３４と、上記前面開閉部材３３と下部扉３４とを施錠するロック機構３５とから構成されている。
上記天板３１は本体部１１の後方側に固定されており、この天板３１により本体部１１の天面開口部ＵＯの後方は常時閉鎖された状態を維持するようになっている。
また、天板３１の前端部および天面開口部３２の後端部の両側面には、略半円状のプレート３６（図３参照）が設けられており、図２に示すように該プレート３６の高さは天板３１に重合した天面開閉部材３３の上面の高さと一致するようになっている。
そしてこのプレート３６により、図２に示す開閉手段１４の開放状態から図１に示す閉鎖状態とする際、天板３１と天面開閉部材３２との間に使用者の指が挟まれてしまう事故を防止するようになっている。
さらに、天板３１の後端部の両側部には樹脂製のコーナーガード３１ａが設けられている。
【００１３】
図１の閉鎖状態において、上記天面開閉部材３２は上記天板３１の前方に位置する天面開口部ＵＯを閉鎖するようになっており、該天面開閉部材３２の前後方向の長さは上記天板３１の前後方向の長さよりも長く設定されている。
また天面開閉部材３２は上記天板３１と同じ厚さとなっており、図１に示す閉鎖状態において、天面開閉部材３２および天板３１の上面は平坦面を構成するようになっている。
上記天板３１と天面開閉部材３２とにおける上面の境界部分には第１蝶番３７が設けられており、該第１蝶番３７によって天面開閉部材３２は図１の閉鎖状態から天板３１に対して図示時計回りに回転可能となっている。
そして、天面開閉部材３２の前端部の両側部には樹脂製のコーナーガード３２ａが設けられている。
【００１４】
図１の閉鎖状態において、前面開閉部材３３は本体部１１の前面開口部ＦＯの上方を閉鎖するようになっており、該前面開閉部材３３の上下方向の長さは、上記天面開閉部材３２の前後方向の長さと同じ長さに設定されている。
上記天面開閉部材３２と前面開閉部材３３との境界部分には第２蝶番３８が設けられており、該第２蝶番３８によって前面開閉部材３３は図１の閉鎖状態から天面開閉部材３２に対して図示反時計回りに回転可能となっている。
前面開閉部材３３の前面には両側に取っ手３９が設けられており、使用者はこの取っ手３９を持ち上げることで、前面開閉部材３３および天面開閉部材３２を閉鎖状態から開口状態とするようになっている。
そして、前面開閉部材３３の上端部の両側部には樹脂製のコーナーガード３３ａが設けられている。
【００１５】
図１の閉鎖状態において、下部扉３４は本体部１１の前面開口部ＦＯの下方を閉鎖するようになっており、下部扉３４の上端部は上記前面開閉部材３３の下端部に接するようになっている。
上記下部扉３４は本体部１１の底板１６に第３蝶番４０を介して揺動可能に連結されており、下部扉３４と本体部１１の側板１５との間に設けられたステー４１によって、図２に示すような水平状態に保持されるようになっている。
上記下部扉３４の上端部の後方には、本体部１１の側板１５と側板１５との間に補強部材４２が設けられており、該補強部材４２は図１、図２に示すように最上段に位置した自由棚１３と同じ高さに設けられている。
この補強部材４２の中央には図２に示すような略Ｌ字形の被係合部材４３が設けられており、また下部扉３４の上端部中央には図示しないバネによって上方に付勢された係合レバー４２が設けられている。
上記係合レバー４２は図１における開閉手段１４の閉鎖状態ではバネの付勢力によって上方に位置しており、上記被係合部材４３に係合して下部扉３４を閉鎖した状態に保持するようになっている。
そして、図２に示す開閉手段１４の開放状態とする際には、上記係合レバー４２をバネの付勢力に抗して下方に移動させて被係合部材４３との係合状態を解除し、その状態で下部扉３４を開放するようになっている。
【００１６】
上記ロック機構３５は、前面開閉部材３３の下端部に設けられており、図示しない鍵によってフック３５ａを回転させる構成を有している。
図１は未施錠状態であり、この状態から上記鍵によってフック３５ａを回転させると、下部扉３４の上端に形成された図示しない係合穴に上記フック３５ａが係合し、前面開閉部材３３と下部扉３４とが施錠され、開閉手段１４は閉鎖状態を維持するようになっている。
【００１７】
そして、上記構成を有するキャビネット３は以下のように使用される。
まず、キャビネット３は所要の保管場所に保管されており、このとき上記ロック機構３５によって前面開閉部材３３と下部扉３４とが施錠され、上記開閉手段１４は閉鎖状態となっている。
このため、上記保管場所に保管している際において、キャビネット３の内部に収納されたプロジェクター１やＤＶＤプレーヤー２への埃の付着や盗難が防止されるようになっている。
使用者は、開閉手段１４を閉鎖状態としたまま、上記キャスター１９によりキャビネット３をスクリーンなどがある教室や会議室等に移動させ、その後上記キャスター１９のブレーキ１９ａを操作してキャビネット３を所要の位置に停止させる。
次に、使用者は上記開閉手段１４のロック機構３５を鍵によって解除し、続いて前面開閉部材３３の取っ手３９を把持して上方に持ち上げる。すると、上記第１蝶番３７を中心に天面開閉部材３２が天板３１に対して時計回りに回転し、併せて上記第２蝶番３８を中心に前面開閉部材３３が天面開閉部材３２に対して反時計回りに回転する。
そして、天面開閉部材３２および前面開閉部材３３を揺動させた結果、図２に示すように天面開閉部材３２は天板３１の上面に重合するとともに、前面開閉部材３３は天板３１の上面に重合された前面開閉部材３３のさらに上面に重合して、上記本体部１１の天面開口部ＵＯおよび前面開口部ＦＯの上方部が開口する。
このとき、天面開閉部材３２および前面開閉部材３３の前端部は天板３１の前端部に一致し、天面開閉部材３２および前面開閉部材３３の後端部は天板３１の後端部よりも後方に突出する。
そして、使用者は下部扉３４の係合レバー４２を操作して、該下部扉３４を第３蝶番４０を中心に前方に回転させて上記前面開口部ＦＯの下方部を開口させ、下部扉３４は上記ステー４１によって水平状態に保持される。
なお、上記自由棚１３を上記補強部材４２の高さに位置させている場合、上記前面開閉部材３３を開放することでＤＶＤプレーヤー２も前面開口部ＦＯの上方から操作可能であるため、下部扉３４を閉鎖したままとしてもよい。
【００１８】
このような操作によってキャビネット３を開口状態とし、上記本体部１１の天面開口部ＵＯおよび前面開口部ＦＯが開口することで、プロジェクター１やＤＶＤプレーヤー２を移動させることなく、これらを使用することができる。
また、上記前面開閉部材３３は閉鎖状態から開放状態とすることでキャビネット３の上面に水平な状態で保持されることから、この前面開閉部材３３を作業台としてノートパソコンＰＣや資料等を載置することができる。
さらに、上記作業台としての前面開閉部材３３は天面開口部ＵＯの後方、すなわちプロジェクター１の後方に位置することから、使用者はキャビネット３の後方に立ってプロジェクター１の光を遮ることなく上記ノートパソコンＰＣ等を操作することができる。
そして、開閉手段１４を開口状態とすることで前面開閉部材３３、天面開閉部材３２、天板３１の前端部の位置が一致することから、本体部１１の天面開口部ＵＯを最大限に確保して上記プロジェクター１の上部に設けられたスイッチ等の操作を容易にしつつ、作業台としての前面開閉部材３３の面積を最大限に確保することができる。
また、キャビネット３に設けられた棚板１２は操作レバー２１を操作することで傾けることが可能であり、プロジェクター１からの光の照射角度を調整することが可能となっている。
さらに、上記下部扉３４は本体部１１の底板１６に対して前方に開放されて上記ステー４１により水平に保持されることから、例えばキャビネット１を教室の机と机との間に設置した際に、該下部扉３４はこれらの机によって開閉が妨げられることがない。
【符号の説明】
【００１９】
１  プロジェクター                ３  キャビネット
１１  本体部                      １２  棚板
３１  天板                        ３２  天面開閉部材
３３  前面開閉部材                ３４  下部扉
ＦＯ  前面開口部                  ＵＯ  天面開口部
【図１】
2010217331.tif 000003
【図２】
2010217331.tif 000004
【図３】
2010217331.tif 000005